(57)【要約】【課題】厚みが薄くても、折り畳むことができ、かつ、簡単に底面を形成することができる包装箱を提供する。【解決手段】包装箱１０は、一枚の板紙を折り曲げて形成され、組み立てた状態の形状は直方体状である。包装箱１０は、前面１１及び裏面１２と、一対の側面１３Ａ，１３Ｂと、背面１２に連続して設けられた底面１４と、背面１２に連続して底面１４の反対側に設けられた蓋部１５と、底面１４に連続して裏面１２の反対側に設けられると共に、前面１１の内側に折り曲げて前面１１の内側に配置される内側挿入部１８とを備えている。【選択図】図２
2014234161.tif 000002
【特許請求の範囲】
【請求項１】
前面及び裏面と、
前記前面及び前記背面の間に設けられた一対の側面と、
前記背面に連続して設けられ、前記前面、前記背面、及び、前記一対の側面の一方の開口を覆う底面と、
前記背面に連続して前記底面の反対側に設けられ、前記前面、前記背面、及び、前記一対の側面の他方の開口を覆う蓋部と、
前記底面に連続して前記裏面の反対側に設けられると共に、前記前面の内側に折り曲げて前記前面の内側に配置される内側挿入部とを備え、
前記内側挿入部には、一部に切込部が設けられ、
前記前面には、前記切込部を係止するための係止部が設けられ、
前記内側挿入部を前記蓋部の側に引き上げて、前記切込部を前記係止部に係止させることにより前記底面が組み立てられ、
前記切込部を前記係止部から取り外し、前記内側挿入部を前記底面の側に押し下げることにより折り畳むことが可能である
ことを特徴とする包装箱。
【請求項２】
前記内側挿入部は、
底面側に設けられ、幅が包装箱の内寸幅と同じか、又は、包装箱の内寸幅よりも広くなるように形成された閉鎖部と、
前記閉鎖部の前記底面と反対側に設けられ、幅が包装箱の内寸幅よりも狭くなるように形成された引出部と
を有することを特徴とする請求項１記載の包装箱。
【請求項３】
前記蓋部は、前記切込部を前記係止部に係止させた状態において、これらを覆うように形成され、
前記蓋部と前記前面との境界には、前記蓋部の一部と前記前面の一部を覆うようにセキュリティーシールが貼られる
ことを特徴とする請求項１又は請求項２記載の包装箱。
【請求項４】
前記一対の側面には、前記蓋部側の端部に連続して、一対の内フラップがそれぞれ対応して設けられ、前記底面側の端部には、内フラップが設けられていない
ことを特徴とする請求項１から請求項３のいずれか１に記載の包装箱。
【請求項５】
前記係止部は、前記前面の前記蓋部側における端部の一部を前記底面側に切り欠くことにより形成された
ことを特徴とする請求項１から請求項４のいずれか１に記載の包装箱。
【請求項６】
包装箱の厚みは２ｃｍ以下である
ことを特徴とする請求項１から請求項５のいずれか１に記載の包装箱。
【発明の詳細な説明】
【技術分野】
【０００１】
本発明は、包装用の箱に関する。
【背景技術】
【０００２】
包装箱には、組立箱、サック箱、ワンタッチ底箱、又は、地獄底箱など、様々な形状ものがあり、用途に応じて使い分けがされている。例えば、ワンタッチ底箱は、底面に２箇所の糊貼りを設けて、箱を起こすと自動的に底が形成される機構を有するものである。このワンタッチ底箱によれば、使用前は折り畳むことにより平面の状態で保管することができると共に、使用時は引き起こすことにより簡単に底面を組み立てることができる。そのため、自動生産に適しており、広く使用されている（例えば、特許文献１参照）。
【０００３】
しかし、ワンタッチ底箱は、前面、後面、及び、一対の側面にそれぞれ連続して設けた底面構成片を組み合わせ、糊貼りすることにより、底面を構成しているので、箱の厚みを一定以上薄く、例えば、２．５ｃｍよりも薄くすることが難しいという問題があった。よって、折り畳むことができ、かつ、簡単に底面を形成することができる厚みの薄い包装箱の開発が望まれていた。
【先行技術文献】
【特許文献】
【０００４】
【特許文献１】特開２０１１−２１９１０３号公報
【発明の概要】
【発明が解決しようとする課題】
【０００５】
本発明は、このような問題に基づきなされたものであり、厚みが薄くても、折り畳むことができ、かつ、簡単に底面を形成することができる包装箱を提供することを目的とする。
【課題を解決するための手段】
【０００６】
本発明の包装箱は、前面及び裏面と、前面及び背面の間に設けられた一対の側面と、背面に連続して設けられ、前面、背面、及び、一対の側面の一方の開口を覆う底面と、背面に連続して底面の反対側に設けられ、前面、背面、及び、一対の側面の他方の開口を覆う蓋部と、底面に連続して裏面の反対側に設けられると共に、前面の内側に折り曲げて前面の内側に配置される内側挿入部とを備え、内側挿入部には、一部に切込部が設けられ、前面には、切込部を係止するための係止部が設けられ、内側挿入部を蓋部の側に引き上げて、切込部を係止部に係止させることにより底面が組み立てられ、切込部を係止部から取り外し、内側挿入部を底面の側に押し下げることにより折り畳むことが可能なものである。
【発明の効果】
【０００７】
本発明の包装箱によれば、底面に連続して裏面の反対側に、前面の内側に折り曲げて前面の内側に配置される内側挿入部を設け、内側挿入部の一部に切込部を設けると共に、前面に切込部を係止するための係止部を設けるようにしたので、内側挿入部を蓋部の側に引き上げて、切込部を係止部に係止させることにより簡単に底面を組み立てることができる。また、切込部を係止部から取り外し、内側挿入部を底面の側に押し下げることにより簡単に折り畳むことができる。よって、底面を裏面及び内側挿入部に連続された平面の簡単な構成とすることができる。従って、一対の側面の幅、すなわち包装箱の厚みを薄くしても、内側挿入部を引き上げることにより、折り畳んだ状態から底面を簡単に組み立てることができる。
【０００８】
特に、内側挿入部の底面側に、幅が包装箱の内寸幅と同じか、又は、包装箱の内寸幅よりも広くなるように形成された閉鎖部を設けるようにすれば、内側挿入部の底面側と前面の底面側とを密着させることができる。よって、底面を安定して固定し、底面と前面及び一対の側面との間の隙間を小さくすることができ、塵埃の侵入を抑制することができる。また、閉鎖部の底面と反対側に、幅が包装箱の内寸幅よりも狭くなるように形成された引出部を有するようにすれば、容易に、内側挿入部を引き上げたり、押し下げたりすることができる。
【０００９】
更に、蓋部により、切込部を係止部に係止させた状態においてこれらを覆うようにすれば、蓋部を開け、内側挿入部を底面側から引き出さなければ、底を開けることができず、底を開けて荷抜きすることを難しくすることができる。加えて、蓋部と前面との境界にセキュリティーシールを貼るようにすれば、安全性をより高めることができる。
【００１０】
更にまた、一対の側面において、蓋部側の端部に連続して一対の内フラップをそれぞれ対応して設けるようにすれば、塵埃の侵入を抑制することができる。また、底面側の端部には、内フラップを設けないようにすれば、底面の組み立て及び折り畳みを容易にすることができる。
【００１１】
加えてまた、前面の蓋部側における端部の一部を底面側に切り欠くことにより係止部を形成するようにすれば、内側挿入部を引き上げる際に持ちやすく、また、切込部を容易に係止することができると共に、内側挿入部を安定して固定することができる。
【図面の簡単な説明】
【００１２】
【図１】本発明の一の実施の形態に係る包装箱の外観構成を表す図である。
【図２】図１に示した包装箱を展開した状態を表す図である。
【図３】図１に示した包装箱の蓋部を開けた状態を表す図である。
【図４】図１に示した包装箱を折り畳んだ状態を表す図である。
【図５】図１に示した包装箱を組み立てる一工程を表わす図である。
【発明を実施するための形態】
【００１３】
以下、本発明の実施の形態について、図面を参照して詳細に説明する。
【００１４】
図１は本発明の一実施の形態に係る包装箱１の外観構成を表すものである。図２は展開した状態を表すものである。図３は蓋を開けた状態を表すものである。図４は折り畳んだ状態を表すものである。この包装箱１０は、例えば、一枚の板紙を折り曲げて形成されており、組み立てた状態の形状は直方体状である。
【００１５】
この包装箱１０は、例えば、前面１１及び裏面１２と、前面１１及び背面１２の間に設けられた一対の側面１３Ａ，１３Ｂと、背面１２に連続して設けられ、前面１１、背面１２、及び、一対の側面１３Ａ，１３Ｂの一方の開口を覆う底面１４と、背面１２に連続して底面１４の反対側に設けられ、前面１１、背面１２、及び、一対の側面１３Ａ，１３Ｂの他方の開口を覆う蓋部１５とを備えている。この包装箱１０において、包装箱１０の幅は、一対の側面１３Ａ，１３Ｂの外表面間の距離を意味し、包装箱１０の内寸幅は、一対の側面１３Ａ，１３Ｂの内表面間の距離を意味し、包装箱１０の厚みは、一対の側面１３Ａ，１３Ｂの幅を意味している。
【００１６】
前面１１、一方の側面１３Ａ、背面１２、及び、他方の側面１３Ｂは、例えば、折り曲げ線１０Ａ，１０Ｂ，１０Ｃを介して、この順に幅方向（ｘ方向；図２参照）において連続して設けられている。他方の側面１３Ｂの背面１２と反対側には、例えば、糊代１６が折り曲げ線１０Ｄを介して側面１３Ｂに連続して設けられている。糊代１６は、例えば、前面１１の側面１３Ａと反対側に接合されている。
【００１７】
一対の側面１３Ａ，１３Ｂには、例えば、折り曲げ線１０Ｅ，１０Ｆを介して、蓋部１５の側の端部に連続して、一対の内フラップ１７Ａ，１７Ｂがそれぞれ対応して設けられていることが好ましい。塵埃の侵入を抑制することができるからである。これに対して、一対の側面１３Ａ，１３Ｂの底面１４側の端部には、内フラップが設けられていないことが好ましい。後述するように、底面１４の組み立て及び折り畳みを容易とするためである。
【００１８】
底面１４は、例えば、折り曲げ線１０Ｇを介して背面１２に連続して設けられ、蓋部１５は、例えば、折り曲げ線１０Ｈを介して背面１２に連続して設けられている。蓋部１５には、例えば、折り曲げ線１０Ｈから一対の側面１３Ａ，１３Ｂの幅に対応する位置に、折り曲げ線１０Ｉが設けられており、前面１１に沿って蓋部１５を折り曲げることができるようになっている。
【００１９】
包装箱１０は、また、底面１４に連続して裏面１２の反対側に設けられると共に、前面１１の内側に折り曲げて前面１１の内側に配置される内側挿入部１８を備えている。内側挿入部１８は、例えば、折り曲げ線１０Ｊを介して底面１４に連続して設けられている。内側挿入部１８には、一部に切込部１８Ａが設けられ、前面１１には、切込部１８Ａに対応して切込部１８Ａを係止するための係止部１１Ａが設けられている。これにより、内側挿入部１８を蓋部１５の側に引き上げて、切込部１８Ａを係止部１１Ａに係止させることにより、底面１４が組み立てることができるようになっている。また、切込部１８Ａを係止部１１Ａから取り外し、内側挿入部１８を底面１４の側に押し下げることにより折り畳むこともできるようになっている。
【００２０】
なお、係止部１１Ａは、例えば、前面１１の蓋部１５の側において、端部の一部、例えば中央部を底面１４の側に切り欠くことにより形成されていることが好ましい。内側挿入部１８は、蓋部１５の側の端部が係止部１１Ａから露出される位置まで伸長されていることが好ましい。内側挿入部１８を引き上げる際に持ちやすく、また、切込部１８Ａを容易に係止することができると共に、内側挿入部１８を安定して固定することができるからである。係止部１１Ａの底面１４と蓋部１５との対向方向における切り欠きの長さは、例えば、５ｍｍ以上、３ｃｍ以下の範囲内が好ましく、１ｃｍ以上、２．５ｃｍ以下の範囲内であればより好ましい。切込部１８Ａは、例えば、係止部１１Ａの位置に対応して、内側挿入部１８の蓋部１５の側に設けられていることが好ましい。
【００２１】
また、蓋部１５は、例えば、切込部１８Ａを係止部１１Ａに係止させた状態において、これらを覆うことができるように形成されていることが好ましい。蓋部１５を開けて、内側挿入部１８を底面１４の側から引き出さなければ、底を開けることができず、底からの荷抜きを難しくすることができるからである。蓋部１５と前面１１との境界には、蓋部１５の一部と前面１１の一部を覆うようにセキュリティーシール１９が貼られることが好ましい。安全性をより高めることができるからである。なお、セキュリティーシール１９というのは、封止めに用いられるものであり、一度貼ったものを剥がすと元通りに貼りなおすことができなくすることにより、開封したことが分かる機能を有するものである。
【００２２】
内側挿入部１８は、例えば、底面１４の側に設けられ、幅が包装箱１０の内寸幅と同じか、又は、包装箱１０の内寸幅よりも広くなるように形成された閉鎖部１８Ｂを有していることが好ましい。内側挿入部１８の底面１４側と前面１１の底面１４側とを密着させることができ、底面１４を安定して固定することができると共に、底面１４と前面１１及び一対の側面１３Ａ，１３Ｂとの間の隙間を小さくすることができるからである。
【００２３】
閉鎖部１８Ｂの幅は、例えば、包装箱１０の内寸幅以上、包装箱１０の内寸幅よりも２ｍｍ大きい長さ以下（すなわち、包装箱１０の内寸幅に２ｍｍを足した長さ以下）とすることが好ましい。また、包装箱１０の内寸幅よりも０．５ｍｍ大きい長さ以上（すなわち、包装箱１０の内寸幅に０．５ｍｍ足した長さ以上）、包装箱１０の内寸幅よりも１．５ｍｍ大きい長さ以下（すなわち、包装箱１０の内寸幅に１．５ｍｍを足した長さ以下）とすればより好ましい。小さすぎると十分な効果を得ることができず、大きすぎると内側挿入部１８を蓋部１５の側に引き上げることが難しくなるからである。底面１４と蓋部１５との対向方向における閉鎖部１８Ｂの長さは、包装箱１０の厚みよりも小さいことが好ましい。内側挿入部１８を容易に蓋部１５の側に引き上げることができるからである。
【００２４】
内側挿入部１８は、また、例えば、閉鎖部１８Ｂの底面１４と反対側に、幅が包装箱１０の内寸幅よりも狭くなるように形成された引出部１８Ｃを有していることが好ましい。容易に、内側挿入部１８を引き上げたり、押し下げたりすることができるからである。内側挿入部１８は、更に、例えば、引出部１８Ｃと閉鎖部１８Ｂとの間に、引出部１８Ｃから閉鎖部１８Ｂに向かい幅が徐々に広くなる傾斜部１８Ｄを有していることが好ましい。内側挿入部１８を蓋部１５の側に引き上げる際に、閉鎖部１８Ｂが引っ掛からないようにするためである。
【００２５】
包装箱１０の厚みは限定されないが、例えば、２．５ｃｍ以下の場合が好ましく、２ｃｍ以下であればより好ましい。この包装箱１０は、厚みが薄くても簡単に底面１４を組み立てることができ、より高い効果を得ることができるからである。
【００２６】
この包装箱１０は、次のようにして組み立てられて用いられる。まず、図２に示したように、一枚の板状に展開された状態の包装箱１０を、例えば、図５に示したように、背面１２の内側と内側挿入部１８の内側とが対向するように、底面１４と内側挿入部１８との間の折り曲げ線１０Ｊで２つ折りにする。次いで、例えば、図４に示したように、内側挿入部１８を内側にして、前面１１と一方の側面１３Ａとの間の折り曲げ線１０Ａ、及び、背面１２と他方の側面１３Ｂとの間の折り曲げ線１０Ｃで折り曲げ、糊代１６と、前面１１の側面１３Ａの反対側、すなわち、前面１１の側面１３Ｂの側とを接着剤等により接合する。使用前は、このように折り畳んだ状態で保管することができる。
【００２７】
また、使用する際には、例えば、一方の手で一対の側面１３Ａ，１３Ｂを挟むように持ち、他方の手で内側挿入部１８の蓋部１５の側を持ち、内側挿入部１８を蓋部１５の側に引き上げる。これにより、底面１４と背面１２との間の折り曲げ線１０Ｇが折曲がり、底面１４及び一対の側面１３Ａ，１３Ｂが起き上がって、底面１４が組み立てられる。その際、前面１１には、係止部１１Ａが切欠きにより形成され、係止部１１Ａにおいて内側挿入部１８の一部が露出されているので、内側挿入部１８を持ちやすくなっている。
【００２８】
内側挿入部１８を引き上げたのち、例えば、内側挿入部１８の切込部１８Ａを前面１１の係止部１１Ａに係止する。これにより、内側挿入部１８が前面１１に固定される。次いで、例えば、蓋部１５の側の開口から包装箱収１０の内部に収納物を挿入し、蓋部１５により開口、係止部１１Ａ及び切込部１８Ａを覆う。続いて、例えば、蓋部１５と前面１１との境界に、蓋部１５の一部と前面１１の一部を覆うようにセキュリティーシール１９を貼る。
【００２９】
このように本実施の形態によれば、底面１４に連続して裏面１２の反対側に、前面１１の内側に折り曲げて前面１１の内側に配置される内側挿入部１８を設け、内側挿入部１８の一部に切込部１８Ａを設けると共に、前面１１に切込部１８Ａを係止するための係止部１１Ａを設けるようにしたので、内側挿入部１８を蓋部１５の側に引き上げて、切込部１８Ａを係止部１１Ａに係止させることにより簡単に底面１４を組み立てることができる。また、切込部１８Ａを係止部１１Ａから取り外し、内側挿入部１８を底面１４の側に押し下げることにより簡単に折り畳むことができる。よって、底面１４を裏面１２及び内側挿入部１８に連続された平面の簡単な構成とすることができる。従って、一対の側面１３Ａ，１３Ｂの幅、すなわち包装箱１０の厚みを薄くしても、内側挿入部１８を引き上げることにより、折り畳んだ状態から底面１４を簡単に組み立てることができる。
【００３０】
特に、内側挿入部１８の底面１４側に、幅が包装箱１０の内寸幅と同じか、又は、包装箱１０の内寸幅よりも広くなるように形成された閉鎖部１８Ｂを設けるようにすれば、内側挿入部１８の底面１４側と前面１１の底面１４側とを密着させることができる。よって、底面１４を安定して固定し、底面１４と前面１１及び一対の側面１３Ａ，１３Ｂとの間の隙間を小さくすることができ、塵埃の侵入を抑制することができる。また、閉鎖部１８Ａの底面１４と反対側に、幅が包装箱１０の内寸幅よりも狭くなるように形成された引出部１８Ｃを有するようにすれば、容易に、内側挿入部１８を引き上げたり、押し下げたりすることができる。
【００３１】
更に、蓋部１５により、切込部１８Ａを係止部１１Ａに係止させた状態においてこれらを覆うようにすれば、蓋部１５を開け、内側挿入部１８を底面１４側から引き出さなければ、底を開けることができず、底を開けて荷抜きすることを難しくすることができる。加えて、蓋部１５と前面１１との境界にセキュリティーシールを貼るようにすれば、安全性をより高めることができる。
【００３２】
更にまた、一対の側面１３Ａ，１３Ｂにおいて、蓋部１５側の端部に連続して一対の内フラップ１７Ａ，１７Ｂをそれぞれ対応して設けるようにすれば、塵埃の侵入を抑制することができる。また、底面１４側の端部には、内フラップを設けないようにすれば、底面１４の組み立て及び折り畳みを容易にすることができる。
【００３３】
加えてまた、前面１１の蓋部１５側における端部の一部を底面１４側に切り欠くことにより係止部１１Ａを形成するようにすれば、内側挿入部１８を引き上げる際に持ちやすく、また、切込部１８Ａを容易に係止することができると共に、内側挿入部を安定して固定することができる。
【００３４】
以上、実施の形態を挙げて本発明を説明したが、本発明は上記実施の形態に限定されるものではなく、種々変形可能である。例えば、上記実施の形態では、各構成要素について具体的に説明したが、全ての構成要素を備えていなくてもよく、他の構成要素を備えていてもよい。また、各構成要素の具体的な形について図面に示して説明したが、他の形状を有するように構成してもよい。更に、上記実施の形態では、蓋部１５を前面１１の上に単にかぶせる場合について説明したが、例えば、前面１１に、蓋部１５の先端部を挿入する切込を形成するようにしてもよい。
【産業上の利用可能性】
【００３５】
包装箱に用いることができる。
【符号の説明】
【００３６】
１０…包装箱、１０Ａ，１０Ｂ，１０Ｃ，１０Ｄ，１０Ｅ，１０Ｆ，１０Ｇ，１０Ｈ，１０Ｉ，１０Ｊ…折り曲げ線、１１…前面、１１Ａ…係止部、１２…裏面、１３Ａ，１３Ｂ…側面、１４…底面、１５…蓋部、１６…糊代、１７Ａ，１７Ｂ…内フラップ、１８…内側挿入部、１８Ａ…切込部、１８Ｂ…閉鎖部、１８Ｃ…引出部、１８Ｄ…傾斜部、１９…セキュリティーシール
【図１】
2014234161.tif 000003
【図２】
2014234161.tif 000004
【図３】
2014234161.tif 000005
【図４】
2014234161.tif 000006
【図５】
2014234161.tif 000007